(57)【特許請求の範囲】
【請求項１】
支柱間に上下に幅を持って行き来させて掛け渡すワイヤと、ワイヤの先端に接続した巻取り装置と、巻取り装置を固定した巻取側支柱と、巻取側支柱との間にワイヤを掛け渡す巻架側支柱とを有し、配設したワイヤの弛緩と張設によって、支柱間の開放と閉鎖を行なうワイヤゲートであって、
前記支柱間には複数段のワイヤが掛け渡され、
前記巻架側支柱のワイヤの巻架部は、ワイヤの上下幅を規制する幅材と共に、支柱から吊り下げた状態で保持され、
ワイヤに張力が付与されると巻架部が張力に従って水平方向に持ち上がり、
ワイヤが弛緩すると巻架部が垂下してワイヤが地面上に付勢されることを特徴とするワイヤゲート。
【発明の詳細な説明】
【０００１】
【発明の属する技術分野】
本発明はワイヤゲートに関し、特に、ワイヤを使用することによって幅の広い間口に対応し、さらに上下に幅を持って複数のワイヤを行き来させて閉鎖性を向上させたワイヤゲートに関する。
【０００２】
【従来の技術】
一般的に有料駐車場、契約駐車場等の車両の出入口、イベント会場等の広場には車両・人の出入りを規制するためにゲートあるいはチェイン等が配設されている。
これらのゲートとしては例えば特開２００１−３２９５１５号公報記載のように支柱の間にロープを配設する構成、あるいは特開２０００−２６５４２８号公報記載のように支柱の間にチェインを掛け渡す構成のものが知られている。
【特許文献１】
特開２００１−３２９５１５号公報
【特許文献２】
特開２０００−２６５４２８号公報
【０００３】
【発明が解決しようとする課題】
しかしながら、前記特開２００１−３２９５１５号公報記載の技術は、支柱間に１本のロープを配設する構成であるため、ロープの上または下の空間をすり抜けて通過することが可能であり、有効に間口を閉鎖できないという問題があった。
また、特開２０００−２６５４２８号公報記載の技術は支柱間に掛け渡したチェインを上下させて間口を閉鎖する構成であるが、間口が十数ｍの広さとなると、チェインの重量によって中央部分が垂れ下がり、これもまた間口を有効に閉鎖できないという問題があった。
また、幅の広い間口を閉鎖するためには、所定間隔でポールを立ててチェインを架け渡さなければならず、ポールの立設作業に手間を要するという問題があった。
本発明は係る従来の問題点を解決するためになされたものであって、その目的とするところは、ワイヤを使用することによって幅の広い間口に対応し、さらに上下に幅を持って複数のワイヤを行き来させて閉鎖性を向上させたワイヤゲートを提供することにある。
【０００４】
【課題を解決するための手段】
前記目的を達成するための手段として本発明請求項１記載のワイヤゲートでは、支柱間に上下に幅を持って行き来させて掛け渡すワイヤと、ワイヤの先端に接続した巻取り装置と、巻取り装置を固定した巻取側支柱と、巻取側支柱との間にワイヤを掛け渡す巻架側支柱とを有し、配設したワイヤの弛緩と張設によって、支柱間の開放と閉鎖を行なうワイヤゲートであって、前記支柱間には複数段のワイヤが掛け渡され、前記巻架側支柱のワイヤの巻架部は、ワイヤの上下幅を規制する幅材と共に、支柱から吊り下げた状態で保持され、ワイヤに張力が付与されると巻架部が張力に従って水平方向に持ち上がり、ワイヤが弛緩すると巻架部が垂下してワイヤが地面上に付勢される構成とした。
【０００５】
【発明の実施の形態】
以下図面に基づいて本発明の実施の形態を説明する。
図１はワイヤを張設した状態の説明図である。
本発明の一実施の形態に係るワイヤゲートは図１に示すように、車両または人が通過する出入口の両端に建てられた二本の支柱（巻取側支柱１、巻架側支柱２）と、それら二本の支柱の間を行き来させて掛け渡すワイヤ３と、ワイヤの先端に接続された巻取り装置４（ウインチ）を主要な構成としている。
【０００６】
前記支柱１、２は鋼材を地中に埋設してその上部を突設した柱であり、高さ１．２ｍ程度であり、支柱間のワイヤの張力及びワイヤへ加わる衝撃に耐えうる強度を有している。
支柱間１，２の距離は約２５ｍであるが、車両の通過できる３ｍ〜数十ｍの距離まで適用可能である。
【０００７】
前記ワイヤ３は直径０．６〜１ｃｍ程度のステンレスワイヤであり、基端を巻取側支柱の上部固定し、ワイヤの先は巻架側支柱２へ延び、巻架側支柱２に巻架けられて往復して戻っている。
前記ワイヤ３は往路側ワイヤと復路側ワイヤが上下に３０ｃｍ程度の幅を持って行き来して掛け渡されている。そのため、従来１本のワイヤしかないゲートに比べて支柱間の閉鎖性が向上している。
ワイヤ３の戻り先はチェイン５を介して巻取り装置４に接続され、巻取り装置４がチェイン５を巻き取るとワイヤ３が引っ張られ、支柱間に張設されるようになっている。
この巻取り装置４は巻取側支柱１の下部に固定されて、電動モータによって駆動されている。尚、手動による巻取り装置を使用することも可能である。
【０００８】
前記巻架側支柱２には高さ８０ｃｍの部位から巻架部６が吊り下げられている。この巻架部６はワイヤが掛け渡される部位であり、支柱に回動自在に固定されたアーム７と、アーム７の先に固定された幅材８と、幅材８の上下両端に備えられたローラ９によって構成されている。
前記巻架部６は回動部１０から二等辺のアーム７が延びて幅材８を支持し、アーム７と幅材８によって三角形が形成され、上段のアーム７はその先端から水平にロッド１１が延び、ロッドの先端のフック１２を通過してワイヤ３が配設されている。
前記巻架部６は重りが装着され、ワイヤを緩めた状態では重力によって自然に下に回動するように付勢されている。
また、巻架部６の回動部１０にはコイルバネが備えられ、重りと共同して下に回動するように付勢されている。
ワイヤ３に張力が付与されるとこれら付勢力に逆らって巻架部６が鉛直方向から水平方向へ９０度持ち上げられる。
【０００９】
前記幅材８の長さは３０ｃｍであり、この幅材８にワイヤの上下幅が規制されて、ワイヤが平行に配設されている。
上段のワイヤ３は上のローラを通過して、幅材に沿って進み、下のローラから繰り出されて、繰り出された先端はチェイン５を巻取り装置４に接続されている。
このように、巻架側支柱２ではワイヤ３はローラ９を介して進退可能に巻き架けられているので、巻取り装置４による巻取りと繰り出しにより、上下のワイヤはローラ上を移動して弛緩と張設が行なわれる。
【００１０】
一方、巻取側支柱１の上段にはワイヤの基端が固定され、その基端からコイルバネ１３が固定されて、コイルバネ１３の一端がワイヤ３に沿って延びている。このコイルバネ１３はワイヤを地面側に付勢するものであり、ワイヤの弛緩と共に鉛直方向へ折り曲がってワイヤを地面側に付勢する。
また、巻取り装置４とワイヤ３の接続はチェイン５を介して行なわれ、巻取り装置４がチェイン５を繰り出すと、チェイン５の自重によりワイヤ３は地面側に付勢される。
【００１１】
次に図２はワイヤを緩めている状態を示す説明図である。
巻取り装置４を駆動させてチェインを繰り出すと、下段のワイヤ３が弛緩し、巻架部６のローラ９を移動して、上段のワイヤも弛緩し、これらワイヤの弛緩と共に、巻架部６が除々に下に回動する。
このとき、巻架部６は重りとコイルバネによって、下に回動しワイヤを地面側へ付勢する。上段のワイヤはフック１２に係止されているので、フック部分から下に付勢される。
一方、巻取側支柱１では、上段のワイヤはコイルバネ１３によって地面側へ押し付けられ、下段のワイヤは巻取り装置から繰り出されたチェイン５の自重によって地面へ落下する。
ワイヤが完全に弛緩すると図３に示すように、ワイヤの全長は地面上に落下し、予め形成された溝内に収まって支柱間が開放される。
【００１２】
以上、本発明の実施の形態を説明してきたが、本発明の具体的な構成は本実施の形態に限定されるものではなく、発明の要旨を逸脱しない範囲の設計変更等があっても本発明に含まれる。
例えば、前記実施の形態ではワイヤを１往復させる構成としたが、１往復半又は２往復、さらにそれ以上ワイヤを行き来させて架け渡す構成であっても本発明に含まれる。
【００１３】
【発明の効果】
以上説明したように本発明請求項１記載のワイヤゲートにおいては、支柱間に上下に幅を持ってワイヤを行き来させて掛け渡すので、ワイヤの上を跨ぐことはもちろんのこと、ワイヤの下をくぐって通過することも困難であり、間口の閉鎖性が向上する。
また、ワイヤを使用するので、チェインに比べて長距離に掛け渡すことが可能となり、間口の広い出入口に適用することができる。
さらに、ワイヤが弛緩した場合にワイヤを地面上に付勢する手段が備えられているので、通行時にワイヤが引っ掛かるおそれが無く、また、支柱の直近においてもワイヤが通行の障害とならない。
【００１４】
また、前記巻架側支柱のワイヤの巻架部は支柱から吊り下げた状態で保持され、ワイヤに張力が付与されると巻架部が張力に従って水平方向に持ち上がり、ワイヤが弛緩すると巻架部が垂下してワイヤが地面上に付勢される構成としたので、確実にしかも簡易な構造でワイヤを保持することができる。
【図面の簡単な説明】
【図１】  ワイヤを張った状態を示す図である。
【図２】  ワイヤを緩めている状態を示す図である。
【図３】  ワイヤが弛緩した状態を示す図である。
【符号の説明】
１  巻取側支柱
２  巻架側支柱
３  ワイヤ
４  巻取り装置
５  チェイン
６  巻架部
７  アーム
８  幅材
９  ローラ
１０  回動部
１１  ロッド
１２  フック
１３  コイルバネ
【図１】
0003683561.tif 000002
【図２】
0003683561.tif 000003
【図３】
0003683561.tif 000004